(57)【要約】      （修正有）【課題】目を閉じたまま使用でき、音と振動を左右交互に発生する脳波誘導装置を提供する。【解決手段】音声入力端子から入力する音声信号を右音声ライン４ｂと左音声ライン４ｃに分岐し、右スピーカ音声のみ出力する右音声オン状態と、左スピーカ音声のみ出力する左音声オン状態とを切換可能な音声切換手段１２を設け、電源を右電源ラインと左電源ラインに分岐し、右振動器にのみ電源を供給した右電源供給状態と、左振動器にのみ電源を供給した左電源供給状態とを切換可能な電源切換手段２０を設け、右音声オン状態と右電源供給状態からなる右出力状態と、左音声オン状態と左電源供給状態からなる左出力状態とを切り換える切換信号出力手段２６を設け、切換信号を両切換手段に一定時間毎に送出して、一定時間毎に左右のスピーカから音声信号を交互に出力し、該音声信号の交互出力タイミングと同一タイミングで振動器を左右交互に振動する。【選択図】図２
0003154555.tif 000002
【実用新案登録請求の範囲】
【請求項１】
携帯可能な本体に音声入力端子、電源入力端子、左右音声出力端子、左右電源出力端子を各々設け、
上記本体内において、上記音声入力端子から入力する音声信号を、右音声ラインと左音声ラインに分岐し、上記右音声ラインを上記右音声出力端子に接続した右音声オン状態と、左音声ラインを上記左音声出力端子に接続した左音声オン状態とを切換可能な音声切換手段を設け、
上記電源入力端子から供給される電源を右電源ラインと左電源ラインに分岐し、上記右電源ラインを上記右電源出力端子に接続した右電源供給状態と、上記左電源ラインを上記左電源出力端子に接続した左電源供給状態とを切換可能な電源切換手段を設け、
上記両切換手段に切換信号を一定時間毎に送出して、上記右音声オン状態と右電源供給状態からなる右出力状態と、上記左音声オン状態と上記左電源供給状態からなる左出力状態とを一定時間毎に交互に切り換える切換信号出力手段を設け、
音再生装置を上記音声入力端子に接続して該装置にて再生された音声信号を上記本体に入力すると共に、
片手で握ることが可能な大きさであって上記左右電源出力端子から電源の供給を受けて振動する振動器を左右一対に設け、
上記左右音声出力端子に左右のスピーカを各々接続すると共に、上記左右電源出力端子に上記左右の上記振動器を各々接続した状態において、上記切換信号出力手段から上記切換信号を上記両切換手段に一定時間毎に送出することにより、一定時間毎に上記左右のスピーカから上記音声信号を交互に出力させ、かつ上記音声信号の交互出力タイミングと同一のタイミングで上記振動器を左右交互に振動させるものであることを特徴とする脳波誘導装置。
【請求項２】
上記本体に左右の光端子をさらに設け、
上記本体内において、上記右電源ラインを上記右電源出力端子のみに接続する振動器モードと、上記右電源ラインを上記右光端子のみに接続する光モードと、上記右電源ラインを上記右電源出力端子と上記右光端子の両方に接続する双方モードとを切換可能な右電源スイッチ手段を設けると共に、
上記左電源ラインを上記左電源出力端子のみに接続する振動器モードと、上記左電源ラインを上記左光端子のみに接続する光モードと、上記左電源ラインを上記左電源出力端子と上記左光端子の両方に接続する双方モードとを切換可能な左電源スイッチ手段とを設け、
上記左右電源スイッチ手段を連動して切り換えることにより、上記振動器モードと光モードと双方モードの各モードを択一的に切り換え可能なモード切換スイッチ手段を設け、
上記左右光端子に供給される電源により発光し得る左右一対の発光器を設け、上記左右の光端子に上記発光器を各々接続し、
上記モード切換スイッチ手段により選択された上記光モードでは、左右の音声信号の左右交互の出力タイミングと同一のタイミングで上記発光器を左右交互に発光させるものであり、
上記モード切換スイッチ手段により選択された上記双方モードでは、左右の音声信号の交互出力タイミング及び左右の振動器の交互振動タイミングと同一のタイミングで、上記発光器を左右交互に発光させるものであることを特徴とする請求項１記載の脳波誘導装置。
【請求項３】
上記振動器は内部に小型振動モータを有する円筒状の筺体から構成されており、上記モータの回転軸に錘が偏心して固定されているものであることを特徴とする請求項１又は２記載の脳波誘導装置。
【請求項４】
上記一対の発光器は、２本の左右ロッドの基端部を回動可能に軸支し、各ロッドの先端部に各々固定されており、
上記基端部を中心として上記両ロッドの先端部間の幅を調整可能に構成されているものであることを特徴とする請求項２に記載の脳波誘導装置。
【請求項５】
２本のロッドの基端部を回動可能に軸支し、両ロッドの先端部に各々上記一対の発光器を固定し、上記基端部を中心として上記両ロッドの先端部間の幅を調整可能とすることにより発光装置を構成し、
上記左及び右電源出力端子に、上記左右の振動器に代えて、上記発光装置の上記左及び右の発光器を各々接続した状態において、
上記左右電源出力端子に供給される上記電源により上記左右の発光器を上記左右の音声信号の出力タイミングと同一のタイミングで左右交互に発光させることを可能としたものであることを特徴とする請求項１に記載の脳波誘導装置。
【請求項６】
上記一定時間毎の時間間隔は１秒間から５秒間の何れかの時間間隔である請求項１〜５の何れかに記載の脳波誘導装置。
【請求項７】
上記音再生装置の音源は、音楽、又は、自然の音、又は、外国語の文章を音読した音声、又は、外国語の単語を音読した音声、であることを特徴とする請求項１〜６の何れかに記載の脳波誘導装置。
【考案の詳細な説明】
【技術分野】
【０００１】
本考案は、聴覚及び触覚等の感覚器官に程よい刺激を与えて脳波の発生を誘導させる脳波誘導装置に関するものである。
【背景技術】
【０００２】
従来、左右１対のスピーカと、フレキシブルアームの先端にそれぞれ設けた同じく左右用１対の発光器と、左右に独立させた光と音声のパルス信号を利用して人間の脳波をコントロールするものが提案されている（特許文献１）。
【０００３】
また、左右の耳に装着し得るヘッドフォンと、左右の目に装着し、右目及び左目に各々光を発する光ゴーグルを有し、左耳に音を発し、左目に光を照射し、その後、右目に音を発し、右目に光を照射する、という交互動作を繰り返し行うことにより、リラクゼーション効果を高める装置が提案されている（特許文献２）。
【０００４】
また、椅子に着座した者が、音響再生装置にて再生された音楽を聞くと共に、この音楽の音響信号に対応した信号を機械振動に変換し、椅子のアームレスト部に設けられた半球体の振動器の振動を手のひらで感じることにより、リラックス状態を促進させるものが提案されている（引用文献３）。
【先行技術文献】
【特許文献】
【０００５】
【特許文献１】実開平５−４１５５９号
【特許文献２】特開平８−３３９１５８号（明細書「００１０」欄、図６参照）
【特許文献３】特開平５−２９３１７２号
【考案の概要】
【考案が解決しようとする課題】
【０００６】
ところで、特許文献１，２の装置では、目に対する光の刺激を受けるため、目を開けた状態を維持する必要があるが、人によっては目を開けた状態より目を閉じた状態の方が集中力を高めることができる場合があり、目を閉じた状態で効果的に脳波を誘導できる装置が望まれている。
【０００７】
特許文献３の装置では、音と、手の平及び足裏への振動による刺激を受けることができるが、左耳と右耳に交互に音を与える等の効果的な動作モードを有しておらず、また装置が大掛かりであり、携帯できないため、目を閉じたまま使用でき、かつ携帯してどこでも使用することができる装置が望まれている。
【０００８】
本考案は上記課題に鑑みてなされたものであり、目を閉じたまま使用でき、しかも音と振動を左右交互に発生する効果的な動作モードを有し、しかも携帯することが可能な脳波誘導装置を提供することを目的とする。
【０００９】
また本考案は、音と振動の交互駆動に加えて、光と音等の従来型の動作モードも選択的に使用することができ、しかも携帯することが可能な脳波誘導装置を提供することを目的とする。
【課題を解決するための手段】
【００１０】
上記の目的を達成するため本考案は、
第１に、携帯可能な本体に音声入力端子、電源入力端子、左右音声出力端子、左右電源出力端子を各々設け、上記本体内において、上記音声入力端子から入力する音声信号を、右音声ラインと左音声ラインに分岐し、上記右音声ラインを上記右音声出力端子に接続した右音声オン状態と、左音声ラインを上記左音声出力端子に接続した左音声オン状態とを切換可能な音声切換手段を設け、上記電源入力端子から供給される電源を右電源ラインと左電源ラインに分岐し、上記右電源ラインを上記右電源出力端子に接続した右電源供給状態と、上記左電源ラインを上記左電源出力端子に接続した左電源供給状態とを切換可能な電源切換手段を設け、上記両切換手段に切換信号を一定時間毎に送出して、上記右音声オン状態と右電源供給状態からなる右出力状態と、上記左音声オン状態と上記左電源供給状態からなる左出力状態とを一定時間毎に交互に切り換える切換信号出力手段を設け、音再生装置を上記音声入力端子に接続して該装置にて再生された音声信号を上記本体に入力すると共に、片手で握ることが可能な大きさであって上記左右電源出力端子から電源の供給を受けて振動する振動器を左右一対に設け、上記左右音声出力端子に左右のスピーカを各々接続すると共に、上記左右電源出力端子に上記左右の上記振動器を各々接続した状態において、上記切換信号出力手段から上記切換信号を上記両切換手段に一定時間毎に送出することにより、一定時間毎に上記左右のスピーカから上記音声信号を交互に出力させ、かつ上記音声信号の交互出力タイミングと同一のタイミングで上記振動器を左右交互に振動させるものであることを特徴とする脳波誘導装置により構成される。
【００１１】
このように構成すると、左右の耳に左右交互に音声を出力することにより左右交互に聴覚刺激を与え、同時に、左右の手に左右交互に振動器による触覚刺激を与えることができ、目を閉じた状態で効果的に脳波誘導を行うことができる。上記電源入力端子には例えば携帯可能な外部直流電源バッテリーを接続することが好ましい。
【００１２】
第２に、上記本体に左右の光端子をさらに設け、上記本体内において、上記右電源ラインを上記右電源出力端子のみに接続する振動器モードと、上記右電源ラインを上記右光端子のみに接続する光モードと、上記右電源ラインを上記右電源出力端子と上記右光端子の両方に接続する双方モードとを切換可能な右電源スイッチ手段を設けると共に、上記左電源ラインを上記左電源出力端子のみに接続する振動器モードと、上記左電源ラインを上記左光端子のみに接続する光モードと、上記左電源ラインを上記左電源出力端子と上記左光端子の両方に接続する双方モードとを切換可能な左電源スイッチ手段とを設け、上記左右電源スイッチ手段を連動して切り換えることにより、上記振動器モードと光モードと双方モードの各モードを択一的に切り換え可能なモード切換スイッチ手段を設け、上記左右光端子に供給される電源により発光し得る左右一対の発光器を設け、上記左右の光端子に上記発光器を各々接続し、上記モード切換スイッチ手段により選択された上記光モードでは、左右の音声信号の左右交互の出力タイミングと同一のタイミングで上記発光器を左右交互に発光させるものであり、上記モード切換スイッチ手段により選択された上記双方モードでは、左右の音声信号の交互出力タイミング及び左右の振動器の交互振動タイミングと同一のタイミングで、上記発光器を左右交互に発光させるものであることを特徴とする上記第１記載の脳波誘導装置により構成される。
【００１３】
このように構成すると、左右交互の聴覚刺激と触覚刺激による脳波の誘導（振動器モード）だけではなく、左右交互の聴覚刺激と視覚刺激による脳波の誘導（光モード）、又は、左右交互の聴覚刺激、視覚刺激、触覚刺激による脳波の誘導（双方モード）による脳波の誘導を行うことができ、３つのモードを用途等に応じて容易に切換えることができる。
【００１４】
第３に、上記振動器は内部に小型振動モータを有する円筒状の筺体から構成されており、上記モータの回転軸に錘が偏心して固定されているものであることを特徴とする上記第１又は２記載の脳波誘導装置により構成される。
【００１５】
このように構成すると、例えば市販の小型振動モータを使用することができ、振動器を低価格で小型に構成することができる。
【００１６】
第４に、上記一対の発光器は、２本の左右ロッドの基端部を回動可能に軸支し、各ロッドの先端部に各々固定されており、上記基端部を中心として上記両ロッドの先端部間の幅を調整可能に構成されているものであることを特徴とする上記第２に記載の脳波誘導装置により構成される。
【００１７】
このように構成すると、一対の発光器の間隔を容易に調整可能とすることができる。
【００１８】
第５に、２本のロッドの基端部を回動可能に軸支し、両ロッドの先端部に各々上記一対の発光器を固定し、上記基端部を中心として上記両ロッドの先端部間の幅を調整可能とすることにより発光装置を構成し、上記左及び右電源出力端子に、上記左右の振動器に代えて、上記発光装置の上記左及び右の発光器を各々接続した状態において、上記左右電源出力端子に供給される上記電源により上記左右の発光器を上記左右の音声信号の出力タイミングと同一のタイミングで左右交互に発光させることを可能としたものであることを特徴とする上記第１に記載の脳波誘導装置により構成される。
【００１９】
共通の左右電源出力端子に、振動器に代えて発光装置を接続して動作可能とするには、例えば振動器の動作定格電圧と発光器の動作定格電圧を共通にすることが考えられる。このように構成すると、装置に何ら変更を加えることなく、当該脳波誘導装置を聴覚刺激と発光器による視覚刺激による脳波誘導も可能な装置とすることができる。
【００２０】
第６に、上記一定時間毎の時間間隔は１秒間から５秒間の何れかの時間間隔である上記第１〜５の何れかに記載の脳波誘導装置により構成される。
【００２１】
時間間隔は、左右の耳及び手等に対する刺激が左右交互に行われていることを意識できる程度の比較的長い時間（１秒間から５秒間）であることが好ましい。
【００２２】
第７に、上記音再生装置の音源は、音楽、又は、自然の音、又は、外国語の文章を音読した音声、又は、外国語の単語を音読した音声、であることを特徴とする上記第１〜６の何れかに記載の脳波誘導装置により構成される。
【００２３】
このように構成すると、本考案に係る脳波誘導装置を、リラックス効果のみならず、学習装置としても使用することができる。
【考案の効果】
【００２４】
本考案によると、左右の耳に左右交互に音楽等の音声を出力することにより左右交互に聴覚刺激を与え、かかる聴覚刺激と同じタイミングで、左右の手に左右交互に振動器による触覚刺激を与えることができるため、目を閉じた状態で効果的な脳波誘導を行うことができ、しかも携帯可能な脳波誘導装置を実現したものである。
【００２５】
また、このような左右交互の聴覚刺激と触覚刺激による脳波の誘導（振動器モード）だけではなく、左右交互の聴覚刺激と視覚刺激による脳波の誘導（光モード）、又は、左右交互の聴覚刺激、視覚刺激、触覚刺激による脳波の誘導（双方モード）による脳波の誘導を行うことができ、用法等に応じて、３つのモードを簡単に切換えることができる脳波誘導装置を実現したものである。
【００２６】
また、振動器として、例えば市販の小型振動モータを使用することができ、振動器を非常に小型に構成することができる。
【００２７】
また、発光装置として、一対の発光器の間隔を容易に調整可能であり、従来の聴覚刺激と視覚刺激による脳波誘導をも同様に行うことができるものである。
【００２８】
また、脳波誘導装置に何ら変更を加えることなく、左右の電源出力端子に発光器を各々接続して発光器を動作させることもでき、装置に何ら変更を加えることなく、左右交互の聴覚刺激と触覚刺激による脳波誘導装置を、左右交互の聴覚刺激と視覚刺激による脳波誘導装置としても使用することができる。
【００２９】
また、本考案に係る脳波誘導装置は、α波等の脳波の誘導によるリラックス効果のみならず、暗記等の学習装置としても非常に効果的に使用することができる。
【図面の簡単な説明】
【００３０】
【図１】（ａ）は本考案に係る脳波誘導装置の斜視図、（ｂ）は同装置の他の実施形態の斜視図である。
【図２】同上装置の電気的ブロック図である。
【図３】同上装置の各部の動作タイミングを示すタイミングチャートである。
【図４】同上装置の全体構成を示すブロック図である。
【図５】同上装置の振動器の断面図である。
【図６】同上装置の振動器を手で持った状態を示す図である。
【図７】同上装置のタイマー回路の構成を示すブロック図である。
【図８】同上装置の音声左右切換手段又は電源左右切換手段の他の実施形態を示す電気的ブロック図である。
【図９】同上装置の他の実施形態を示す電気的ブロック図である。
【図１０】同上装置の発光装置を示す正面図である。
【図１１】同上装置の発光器の断面図である。
【図１２】同上装置の他の実施形態の全体構成を示すブロック図である。
【考案を実施するための形態】
【００３１】
以下、本考案に係る脳波誘導装置について詳細に説明する。
【００３２】
１は、上記脳波誘導装置の直方体形状の筺体（本体）であり（図１（ａ）参照）、前面パネル２には、音声信号を出力するステレオ音声出力ジャック（左右音声出力端子）３、携帯音楽プレーヤ等の外部機器から出力される音声信号を入力するモノラル音声入力ジャック（音声入力端子）４、電源スイッチ５、右手に握るための振動器２８ａを接続するための右電源出力ジャック（右電源出力端子）６、左手に握るための振動器２８ｂを接続するための左電源出力ジャック（左電源出力端子）７が設けられている。また、背面パネル８には、外部のＤＣバッテリー等の直流電源装置を接続するためのＤＣ入力ジャック（電源入力端子）９、及び電源ランプ１０が設けられている。
【００３３】
かかる筺体１は、全体的にコンパクトに形成することができ、例えば横１００ｍｍ、縦１５０ｍｍ、高さ３０ｍｍ程度の片手で持つことができる程度の大きさに形成することができる。
【００３４】
上記脳波誘導装置１は、図２に示すように構成されている。
【００３５】
上記モノラル音声信号入力ジャック４に接続された音声信号ライン４ａは分岐点Ｎ１にて右耳用の右音声ライン４ｂと左耳用の左音声ライン４ｃに分岐され、各々リレー回路１１内において、上記右音声ライン４ｂは音声左右切換スイッチ部（音声切換手段）１２を介して、ステレオ音声出力ジャック３の右音声出力端子３ａのみに接続され、上記左音声ライン４ｃは上記切換スイッチ部１２を介して、上記ステレオ音声出力ジャック３の左音声出力端子３ｂのみに接続されている。
【００３６】
上記音声左右切換スイッチ部１２は、上記右音声ライン４ｂを介して送出される音声信号をステレオ音声出力ジャック３の右音声出力端子３ａに送出する右音声オン状態と、上記左音声ライン４ｃを介して送出される音声信号をステレオ音声出力ジャック３の左音声出力端子３ｂに送出する左音声オン状態とを択一的に切り換えるものである。
【００３７】
具体的には、上記右音声ライン４ｂに接続された端子１５ａと音声出力ジャック３の右音声出力端子３ａに接続された端子１５ｂとを導通接続するための端子片１４ａと、上記左音声ライン４ｃに接続された端子１６ａと音声出力ジャック３の左音声出力端子３ｂに接続された端子１６ｂとを導通接続するための端子片１４ｂと、上記端子片１４ａと上記端子片１４ｂとを一定間隔を以って支持する駆動軸１７とを有しており、該駆動軸１７を電磁プランジャー等の切換器１８によって伸縮駆動することにより、上記端子片１４ａのみが右音声ライン４ｂ側の端子片１５ａ，１５ｂを導通接続した状態（右音声オン状態、図２の状態）と、上記端子片１４ｂのみが左音声ライン４ｃ側の端子片１６ａ，１６ｂを導通接続した状態（左音声オン状態）とを択一的に切換可能に構成されている。
【００３８】
従って、上記音声左右切換スイッチ部１２が右音声オン状態をとると、上記右音声ライン４ｂの音声信号のみがステレオ音声出力ジャック３の右音声出力端子３ａに送出された状態となり、左音声ライン４ｃは端子片１４ｂにより開放されたオフ状態となる（図３（ｃ）（ｄ）の期間Ｔ１）。
【００３９】
一方、上記音声左右切換スイッチ部１２が左音声オン状態をとると、上記右音声ライン４ｂは端子片１４ａにより遮断されたオフ状態となり、左音声ライン４ｃの音声信号のみがステレオ音声出力ジャック３の左音声出力端子３ｂに送出される状態となるように構成されている（図３（ｃ）（ｄ）期間Ｔ２）。
【００４０】
上記ＤＣ入力ジャック（電源入力端子）９に接続されたＤＣ電源供給ライン１９ａは電源スイッチ５’を介して分岐点Ｎ２にて右電源ライン１９ｂと左電源ライン１９ｃに分岐され、各々リレー回路１１内において、上記右電源ライン１９ｂは電源左右切換スイッチ部（電源切換手段）２０を介して、右電源出力ジャック（右電源出力端子）６に接続され、上記左電源ライン１９ｃは上記電源左右切換スイッチ部２０を介して、上記左電源出力ジャック（左電源出力端子）７に接続されている。
【００４１】
上記電源左右切換スイッチ部２０は、上記右電源ライン１９ｂを介して電源を右電源出力ジャック６に接続された右振動器２８ａに供給する右電源供給状態と、上記左側電源供給ライン１９ｃを介して電源を左電源出力ジャック７に接続された左振動器２８ｂに供給する左電源供給状態とを択一的に切り換えるものである。
【００４２】
具体的には、上記右電源ライン１９ｂに接続された端子２１ａと右電源出力ジャック６に接続された端子２１ｂとを導通接続するための端子片２２ａと、上記左電源ライン１９ｃに接続された端子２３ａと左電源出力ジャック７に接続された端子２３ｂとを導通接続するための上記端子片２２ｂと、上記端子片２２ａと上記端子片２２ｂとを一定間隔を以って支持する駆動軸２４とを有しており、該駆動軸２４を電磁プランジャー等の切換器２５によって伸縮駆動することにより、上記端子片２２ａのみが右電源ライン１９ｂ側の端子片２１ａ，２１ｂを導通接続した状態（右電源供給状態、図２の状態）と、上記端子片２２ｂのみが左電源ライン１９ｃ側の端子片２３ａ，２３ｂを導通接続した状態（左電源供給状態）とを択一的に切換可能に構成されている。
【００４３】
従って、上記電源左右切換スイッチ部２０が右電源供給状態をとると、上記右電源ライン１９ｂの電源が右電源出力ジャック６に供給された状態となり（図３（ｆ）の期間Ｔ１参照）、左電源ライン１９ｃは端子片２２ｂにより遮断されるオフ状態となる（図３（ｇ）の期間Ｔ１参照）。一方、上記電源左右切換スイッチ部２０が左電源供給状態をとると、上記右電源ライン１９ｂは端子片２２ａにより遮断されたオフ状態となり（図３（ｆ）の期間Ｔ２参照）、左電源ライン１９ｃの電源電圧が左電源出力ジャック７にのみ供給された状態となるように構成されている（図３（ｇ）の期間Ｔ２参照）。
【００４４】
尚、上記ＤＣ入力ジャック９に供給される電源はタイマー回路２６及び上記リレー回路１１にも供給される。
【００４５】
以下の説明において図３のタイミングチャートを使用して説明する。このタイミングチャートにおいて、（ａ）はタイマー回路２６の駆動信号の出力タイミングを示し、（ｂ）は上記音声左右切換スイッチ部１２の右音声オン状態（図中Ｒ）と左音声オン状態（図中Ｌ）の切換タイミングを示し、（ｃ）は右音声出力端子３ａに供給される音声信号とその出力タイミングを示し、（ｄ）は左音声出力端子３ｂに供給される音声信号とその出力タイミングを示し、（ｅ）は上記電源左右切換スイッチ部２０の右電源供給状態（図中Ｒ）と左電源供給状態（図中Ｌ）の切換タイミングを示し、（ｆ）は右電源出力ジャック６に供給される電源の出力タイミングを示し、（ｇ）は左電源出力ジャック７に供給される電源の出力タイミングを示している。
【００４６】
上記タイマー回路（切換信号出力手段）２６は、その出力部が上記切換器１８及び上記切換器２５に各々接続されており、両切換器１８，２５に同一タイミングで駆動信号（切換信号）を送出するものである。即ち、上記タイマー回路２６は図３（ａ）Ｔ１，Ｔ２，Ｔ３・・・に示すように、所定時間ｔ毎に加電圧（駆動信号）を上昇した状態（タイマーオンの状態、図３（ａ）Ｔ１，Ｔ３，Ｔ５・・・）又は降下した状態（タイマーオフの状態、図３（ａ）Ｔ２，Ｔ４・・・）を周期的に出力し、上記切換器１８，２５の電磁プランジャーの上記駆動軸１７，２４を伸縮動作させることが可能である。
【００４７】
このタイマー回路２６は例えば図７に示すように、内部にスイッチ２６ａを有し、ＤＣ入力ジャック９から供給されるＤＣ電源を当該スイッチ２６ａをオンすることにより上記切換器１８，２５に供給し、上記スイッチ２６ａをオフすることにより上記切換器１８，２５に対する電源への供給を遮断するように構成し、当該スイッチ２６ａのオン、オフのタイミング（時間ｔ）をタイマー２６ｂによって制御し得るように構成することができる。
【００４８】
従って、上記タイマー回路２６がオンの期間（図３（ａ）Ｔ１，Ｔ３，Ｔ５）、上記駆動信号によって上記切換器１８，２５は共に駆動軸１７，２４を伸張駆動され（図３（ｂ）（ｅ）のＴ１，Ｔ３，Ｔ５）、上記切換片１４ａ，２２ａが各々右音声ライン４ｂ側、右電源ライン１９ｂ側に接続され（右出力状態）（図３（ｃ）（ｆ）のＴ１，Ｔ３，Ｔ５）、左音声ライン４ｃ、左電源ライン１８ｃは開放された状態となり（図３（ｄ）（ｇ）のＴ１，Ｔ３，Ｔ５）、右音声出力端子３ａのみに音声信号が供給され、右電源出力ジャック６にのみ電源が供給された状態となる（図３（ｃ）（ｄ）（ｆ）（ｇ）のＴ１，Ｔ３，Ｔ５）。
【００４９】
一方、上記タイマー回路２６がオフの期間（図３（ａ）Ｔ２，Ｔ４の期間）、上記駆動信号の消勢によって上記切換器１８，２５による駆動軸１７，２４の伸張が解除され（図３（ｂ）（ｅ）のＴ２，Ｔ４）、上記切換片１４ｂ，２２ｂが各々左音声ライン４ｃ側、左電源ライン１９ｃ側に接続され（左出力状態）（図３（ｄ）（ｇ）の期間Ｔ２，Ｔ４）、右音声ライン４ｂ、右電源ライン１９ｂは開放された状態となり（図３（ｃ）（ｆ）の期間Ｔ２，Ｔ４）、左音声出力端子３ｂのみに音声信号が供給され、左電源出力ジャック７にのみ電源が供給された状態となる（図３（ｃ）（ｄ）（ｆ）（ｇ）のＴ２，Ｔ４）。
【００５０】
よって、上記モノラル音声入力ジャック４に音楽等の音声信号の再生機器の音声出力を接続し、上記ＤＣ入力ジャック９にＤＣ電源装置を接続し、上記ステレオ音声出力ジャック３にステレオヘッドフォン２７を接続し、上記左右の電源出力ジャック６，７に左右の振動器２８ａ，２８ｂを各々接続した状態で、上記タイマー回路２６が上記オンオフ動作を繰り返すことにより（図３（ａ）Ｔ１，Ｔ２，Ｔ３・・・）、ヘッドフォン２７の右側のスピーカ２７ａのみから音声信号が出力され、右手に握った振動器２８ａのみが振動し、かつ左側のスピーカ２７ｂから音声信号が出力されず、左手に握った振動器２８ｂが振動しない状態が例えばｔ秒間継続し（図３（ｃ）（ｆ）期間Ｔ１）、その後、ヘッドフォン２７の右側のスピーカ２７ａの音声信号が消勢し、右手に握った振動器２８ａの振動が停止し、かつヘッドフォン２７の左側のスピーカ２７ｂのみから音声信号が出力され、左手に握った振動器２８ｂのみが振動する状態がｔ秒間継続する（図３（ｄ）（ｇ）期間Ｔ２）、という動作がｔ秒毎に左右交互に行われるように構成されている。
【００５１】
尚、タイマー回路２６のオンオフの所定時間（時間間隔）ｔは、右耳及び右手、並びに左耳及び左手に交互に刺激が来ることが自覚できる程度の比較的長い間隔、例えば、１秒間〜５秒間の何れかの時間間隔、好ましくは２秒間〜３秒間の何れかの時間間隔が望ましい。また、上記時間ｔは、タイマー回路２６のタイマー２６ｂの設定を変更することにより、任意に設定変更が可能である。
【００５２】
上記リレー回路１１内の音声左右切換スイッチ部１２、電源左右切換スイッチ部２０はその他にも様々な実施形態が考えられるが、切換器１８，２５に代えて、例えば図８に示すように、リレースイッチ１５’，１６’及びリレースイッチ１５’，１６’をオンオフするためのトランジスタＱ１，Ｑ２を設け、マイコン２６’により上記トランジスタＱ１，Ｑ２を上記タイミングＴ１，Ｔ２，Ｔ３・・・で交互にスイッチングすることにより構成することもできる。この場合、図５中のリレースイッチ１５’，１６’及びトランジスタＱ１，Ｑ２により構成される切換スイッチ部１２’が、上記音声左右切換スイッチ部（音声切換手段）１２又は電源左右切換スイッチ部（電源左右切換手段）２０を構成し、マイコン２６’によりタイマー回路（切換信号出力手段）２６が構成されることになる。勿論、上記リレースイッチ１５’，１６’を電子的な切換スイッチとしても良い。
【００５３】
次に、外部接続機器について説明する。
【００５４】
図４に示すように、２７は上記ステレオ音声出力ジャック３に接続される周知のステレオヘッドフォンであり、右耳用のスピーカ２７ａと左耳用のスピーカ２７ｂを有している。このステレオヘッドフォン２７はそのステレオプラグ２７ｃを上記ステレオ音声出力ジャック３に接続することにより、右音声出力端子３ａから入力する右側の音声信号を右側の上記スピーカ２７ａから出力し、左音声出力端子３ｂから入力する左側の音声信号を左側の上記スピーカ２７ｂから出力するものである。
【００５５】
２８ａは右手用の振動器、２８ｂは左手用の振動器であり、片手に握った状態で、内臓する小型振動モータ４６が回転することにより、手のひらに振動による刺激を与えるためのものである（図５、図６参照）。これらの振動器２８ａ，２８ｂは右手用と左手用は同一構造であるので、右手用の振動器２８ａについて説明する。
【００５６】
図５に示すように、振動器２８ａは、手の平にすっぽり収まる大きさの円筒形状の樹脂製の筐体２９と、当該筐体２９内に固定部２９ａにより収納固定された小型振動モータ４６により構成されている。この小型振動モータ４６は、その回転軸４６ａの先端部に回転中心軸ａに対して偏心した状態で接続された錘４５を有している。よって、該小型振動モータ４６を回転駆動すると、上記錘４５が回転中心軸ａに対して偏心した状態で高速で回転するため、その振動が振動器２８ａの筺体２９に伝達され、振動器２８ａ自体が振動し、その振動を掌で感じることができるように構成されている。
【００５７】
この上記小型振動モータ４６は、例えばコアレスのＤＣモータ等により構成することができ、上記左右の電源出力ジャック６，７を介して供給される直流電圧により高速で回転駆動させることができる。また、上記小型振動モータ４６には電源供給コード４７が接続されており、電源供給コード４７の先端に上記右又は左電源出力ジャック６又は７に接続するためのプラグ４８が設けられている。
【００５８】
よって、２つの振動器２８ａ，２８ｂを用意して各々のプラグ４８，４８を上記左又は右電源出力ジャック６，７に各々接続した図４の状態で、上記本体１から上記左又は右電源出力ジャック６，７に、上記タイマー回路２６の動作により交互に駆動電圧が印加されることにより、右側の振動器２８ａが時間ｔだけ駆動されて振動し（図３（ｆ）期間Ｔ１）、上記時間ｔの経過後に該右側の振動器２８ａの振動が停止し、左側の振動器２８ｂが時間ｔだけ駆動されて振動し（図３（ｇ）期間Ｔ２）、上記時間ｔの経過後に左側の振動器２８ｂの振動が停止するという、交互の振動動作を繰り返し行うものである（図３（ｆ）（ｇ）Ｔ１，Ｔ２，Ｔ３・・・）。
【００５９】
上記ＤＣ入力ジャック９には外部直流バッテリー３６を接続し、直流電圧を供給する。或いは、ＡＣ電源アダプターを接続して商用電源から変換された直流電圧を供給する。
【００６０】
また、上記モノラル音声信号入力ジャック４には、音楽を再生可能な携帯音楽再生装置（音再生装置）３５の音声出力を接続する。ここで再生される音（音源）は、人間をリラックスさせ、α波等の脳波を誘導するために適したものが考えられ、例えばクラシック音楽等の音楽、波の音、川のせせらぎの音、鳥のさえずりの音等の自然の音等が考えられる。また、例えば、暗記が必要な場合において、暗記の対象となる学習教材、例えば、外国語の文章、会話を音読した音声、外国語の朗読の音声、外国語の単語を音読した音声、法律の条文の読み上げ音声等でも良い。
【００６１】
本考案は上述のように構成されるものであるから、以下その動作を説明する。
【００６２】
まず、図４に示すように、外部直流バッテリー３６の電源コードの先端のプラグ３６ａを上記ＤＣ入力ジャック９に接続し、携帯音楽再生装置３５のイヤホン端子３５ａと上記モノラル音声信号入力ジャック４とを音声出力コードのプラグ３５ｂで接続する。また、ステレオ音声出力ジャック３にステレオヘッドフォン２７のステレオプラグ２７ｃを接続し、該ヘッドフォン２７の左右のスピーカ２７ａ，２７ｂを操作者の左右の耳に各々装着する。さらに、左右の振動器２８ａ，２８ｂを各々用意し、右用の振動器２８ａの接続プラグ４８を右電源出力ジャック６に接続し、左用の振動器２８ｂの接続プラグ４８を左電源出力ジャック７に接続し、操作者は右用の振動器２８ａを右手で握り、左用の振動器２８ｂを左手で握る。
【００６３】
上記状態において、上記携帯音楽再生装置３５において音楽（例えばクラシック音楽とする）を再生状態とし、さらに本体の電源スイッチ５をオンする。
【００６４】
すると、上記外部直流バッテリー３６からの電源が電源スイッチ５’を介してタイマー回路２６、リレー回路１１に供給される。
【００６５】
また、上記筐体１のモノラル音声入力ジャック４に音源としての携帯音楽再生装置３５からクラシック音楽の音声信号が上記モノラル音声入力ジャック４を介して音声信号ライン４ａに入力する。
【００６６】
上記電源の供給により上記タイマー回路２６は動作を開始し、オン時間がｔ秒間隔（ここでは３秒間隔とする）のパルス状の駆動信号を出力する。即ち、図３の（ａ）に示すように時間ｔ（３秒）で、リレー回路１１内の切換器１８，２５に同一タイミングで駆動信号を３秒間出力し、その後３秒間駆動信号出力をゼロとする動作を繰り返し行う（図３（ａ）Ｔ１，Ｔ２，Ｔ３・・・参照）。
【００６７】
上記タイマー回路２６の出力が上昇したとき(図３（ａ）期間Ｔ１)、切換器１８と切換器２５の駆動軸１７，２４は伸張し、上記切換片１４ａが端子１５ａ，１５ｂに接続されるため、右音声ライン４ｂから音声信号が右音声出力端子３ａに供給され、該端子３ａを介してヘッドフォン２７の右側のスピーカ２７ａのみから３秒間上記クラシック音楽が放音される（図３（ｃ）期間Ｔ１）。尚、左音声ライン４ｃは開放されているため左側のスピーカ２７ｂからは音声は出力されない（図３（ｄ）期間Ｔ１）。
【００６８】
同時に、上記端子片２２ａが端子２１ａ，２１ｂに接続されるため（図３（ｅ）期間Ｔ１）、右電源ライン１９ｂから右手の振動器２８ａに駆動電圧が供給され（図３（ｆ）期間Ｔ１）、右手内の振動器２８ａの小型振動モータ３０が３秒間だけ回転駆動され、右手に３秒間振動が伝えられる。尚、左手内の振動器２８ｂには駆動電圧が供給されないので振動しない（図３（ｅ）（ｇ）期間Ｔ１参照）。
【００６９】
その後、上記タイマー回路２６の出力がゼロになると（図３（ａ）期間Ｔ２）、切換器１８と切換器２５の駆動軸１７，２４は縮小され、上記端子片１４ｂが端子１６ａ，１６ｂに接続されるため左側の音信号ライン４ｃに供給された音声信号が左音声出力端子３ｂに供給され、該端子３ｂを介してヘッドフォン２７の左側のスピーカ２７ｂのみから３秒間上記クラシック音楽が放音される（図３（ｄ）期間Ｔ２）。尚、右側の音信号ライン４ｂは開放されているため右側のスピーカ２７ａからは音声は出力されない（図３（ｃ）期間Ｔ２）。
【００７０】
同時に、上記端子片２２ｂが端子２３ａ，２３ｂに接続されるため（図３（ｅ）期間Ｔ２）、左電源ライン１９ｃから左手の振動器２８ｂに駆動電圧が供給され（図３（ｇ）期間Ｔ２）、左手内の振動器２８ｂの小型振動モータ３０が３秒間だけ回転駆動されるため、左手に３秒間振動が伝えられる。尚、右手内の振動器２８ａには駆動電圧が供給されないので振動しない（図３（ｆ）期間Ｔ２）。
【００７１】
このように、上記タイマー回路２６の出力の３秒毎の上昇下降に基づいて、右耳のスピーカ２７ａのみから３秒間クラシック音楽が放音され、同時に右手内の振動器２８ａのみが３秒間振動し、その後、左耳のスピーカ２７ｂのみからクラシック音楽が３秒間放音され、同時に左手内の振動器２８ｂのみが３秒間振動する、という交互動作がｔ秒毎に繰り返し行われる。かかる動作は、図３（ｃ）（ｄ）、（ｆ）（ｇ）に示すように、３秒毎に繰り返し行われる（図３Ｔ１，Ｔ２，Ｔ３・・・・参照）。即ち、一定時間毎に上記左右のスピーカ２７ａ，２７ｂから上記クラシック音楽を交互に出力させ、かつ上記音声信号の交互出力タイミングと同一のタイミングで上記振動器２８ａ，２８ｂを左右交互に振動させる動作を行う。
【００７２】
このような動作において、操作者は、左右のスピーカ２７ａ，２７ｂから左右の耳に３秒毎に交互に音声信号（クラシック音楽）が与えられ、左右の耳から交互に聴覚が刺激されると共に、クラシック音楽が出力される左右のタイミングと同一のタイミングで、左右の振動器２８ａ，２８ｂにより、左手と右手に交互に振動が与えられ、左右の手の触覚が交互に刺激される。即ち、右耳及び右手に聴覚刺激と触覚刺激が３秒間同時に与えられ、その後、左耳及び左手に聴覚刺激と触覚刺激が３秒間同時に与えられるという動作が左右交互に繰り返し行われる。これにより、操作者の脳における右脳と左脳に交互に刺激が与えられ、右脳と左脳の刺激のキャッチボールが促進され、効果的にα波等の脳波を誘導することができ、リラックス効果、集中力の強化等の効果を得ることができる。
【００７３】
また、上記スピーカにて再生されるクラシック音楽は、左右のスピーカから交互に再生されるが、音楽としては１つの連続した音楽として聞くことができるため、クラシック音楽として途切れることもなく違和感なく聞くことができる。
【００７４】
従って、例えば外国語の習得のために外国語会話の音声等を音源として用いても、当該会話音声が左右のスピーカから交互に再生されるが、会話音声として途切れることなく自然に聞くことができるため、上記振動器の交互振動と相俟って、脳波を誘導して集中力を高めながら、同時に外国語会話の勉強、外国語単語の暗記等を行うことができ、リラックス効果だけに留まらず、各種の暗記、学習装置としても極めて有効である。
【００７５】
また、操作者は、かかる動作中において、目で光を見る必要がないので、目を閉じた状態で、聴覚と触覚の一定間隔毎（３秒間毎）の左右交互の刺激を受けることができる。よって、目を開けて光を見る状態の従来の装置に比べて、目を閉じた状態で聴覚刺激と触角刺激を交互に受けることができるので、より集中力を高めた状態で、効果的に脳波を誘導することができる。
【００７６】
次に、本考案に係る第２の実施形態を説明する（図１（ｂ）、図９）。上記の実施形態では、スピーカにより聴覚、及び振動器により触覚の両方を刺激する装置であったが、目を開けた状態で視覚刺激によって脳波の誘導を好む人も存在するし、聴覚と視覚と触覚の刺激を同時に受けることにより効果的に脳波を誘導することができる場合もある。そこで、第２の実施形態として、聴覚刺激を中心として、聴覚刺激と振動による触覚刺激（振動モード）、聴覚刺激と光による視覚刺激（光モード）、聴覚刺激と触覚刺激と視覚刺激（双方（両方）モード）の３つのパターンを操作者の好み、目的、体調等に合わせて、自由に選択することができる脳波誘導装置を提供する。
【００７７】
尚、第２の実施形態において、音声信号による聴覚刺激を形成する部分と、振動器による触覚刺激を与える部分は第１の実施形態と同一であるので、第１の実施形態と同一部分については同一符号を付して便宜上それらの説明は省略する。
【００７８】
図１（ｂ）に第２の実施形態の脳波誘導装置の外観、図９にその電気的ブロック図を示す。図１（ｂ）において、この脳波誘導装置は、出力端子として、右光ジャック（右光端子）６’と左光ジャック（左光端子）７’が追加されていると共に、振動モード、光モード、双方モードを択一的に選択するためのモード切換スイッチ４０を有している。
【００７９】
図９において、右電源ライン１９ｂと左電源ライン１９ｃにおいて、電源左右切換スイッチ部２０と電源出力ジャック６，７との間に、モード切換スイッチ（モード切換スイッチ手段）４０を設ける。このモード切換スイッチ４０は、右電源ライン１９ｂに供給された電源を、右電源出力ジャック６のみに供給する振動器モードのための端子３１ａ、上記電源を右光ジャック６’のみに供給する光モードのための端子３１ｂ、上記電源を上記右電源出力ジャック６と上記右光ジャック６’の両方に供給する双方モードのための端子３１ｃを有しており、これらの端子３１ａ〜３１ｃに択一的に接触する可動片３２を有している。
【００８０】
上記端子３１ａは上記右電源出力ジャック６に接続されており、上記端子３１ｂは右光ジャック６’に接続されており、上記端子３１ｃは上記右電源出力ジャック６と右光ジャック６’の双方に接続点Ｍ１，Ｍ２を以って接続されている。
【００８１】
ここで、上記可動片３２及び上記各ジャック６，６’に接続された各端子３１ａ〜３１ｃにより右電源スイッチ手段が構成されている。
【００８２】
また、上記モード切換スイッチ４０は、左電源ライン１９ｃに供給された電源を、左電源出力ジャック７のみに供給する振動器モードのための端子３３ａ、上記電源を左光ジャック７’のみに供給する光モードのための端子３３ｂと、上記電源を上記左電源出力ジャック７と上記左光ジャック７’の両方に供給する双方モードのための端子３３ｃを有しており、これらの端子３３ａ〜３３ｃに択一的に接触する可動片３４を有している。
【００８３】
上記端子３３ａは上記左電源出力ジャック７に接続されており、上記端子３３ｂは右光ジャック７’に接続されており、上記端子３３ｃは上記左電源出力ジャック７と左光ジャック７’の双方に接続点Ｍ３，Ｍ４を以って接続されている。
【００８４】
ここで、上記可動片３４及び上記各ジャック７，７’に接続された各端子３３ａ〜３３ｃにより左電源スイッチ手段が構成されている。
【００８５】
さらに上記可動片３２と上記可動片３４の双方は接続軸３５’により同一タイミングで可動し得るように接続されており、つまみ４０’をスライドすることにより、上記各モードを択一的に選択し得るように構成されている。
【００８６】
次に、上記左右の光ジャック６’，７’に接続される発光器４１ａ，４１ｂを図１０，１１に基づいて説明する。同図において、４１は発光装置であり、２本の細長い平板状ロッド４０ａ，４０ｂの基端部を接続軸４２で回動可能に軸支し、両方の先端部を開くことによりＶ字型とし、両ロッド４０ａ，４０ｂの上記先端部の透孔４３ａ，４３ｂにＬＥＤによる発光器４１ａ，４１ｂが固定されている。
【００８７】
この発光器４１ａ，４１ｂは図１１に示すように、ロッド４０ａの先端部の透孔４３ａにＬＥＤ（発光ダイオード）４９を保持するホルダー５２を挿通し、該ホルダー５２の後端部に固定体４４をねじ込むことにより上記ロッド４０ａに固定されており、上記固定体４４には上記ＬＥＤ４９と電気的に接続された電源コード５０が接続され、該コード５０の端部に接続プラグ５１が設けられている。
【００８８】
上記ロッド４０ａ，４０ｂの板面には上記透孔４３ａ，４３ｂと同じ径の透孔が一定間隔を以って上記先端部から上記基端部に向けて複数個貫設されており、どの透孔４３ａ，４３ｂにおいても上記発光器４１ａ，４１ｂを固定することができるように構成されている。
【００８９】
よって、当該発光装置４１を使用する場合は、基端部の接続軸４２の部分を机等に固定して、先端部を適当な広さ（通常は左右の目で見える範囲）に開き、当該発光装置４１を椅子に座る等した楽な姿勢で見える位置に固定する。尚、発光器４１ａ，４１ｂの高さは、当該発光器４１ａ，４１ｂをより低い位置の上記透孔に設置することにより微調整することができる。
【００９０】
従って、上記モード選択スイッチ４０を「振動器モード」に設定すると、上記可動片３２，３４は同時に端子３１ａ，３３ａに接続されるため、左右の電源ライン１９ｂ，１９ｃが各々左右電源出力ジャック６，７に接続される。よって、この振動器モードでは、第１の実施形態と同様に、右のスピーカ２７ａから音楽信号が３秒間出力されると同時に、右手の振動器２８ａが３秒間振動し、その後、左のスピーカ２７ｂから音楽信号が３秒間出力されると同時に、左手の振動器２８ｂが３秒間振動し、かかる動作を交互に３秒間毎に繰り返し、これにより第１の実施形態と同様に、聴覚刺激と触覚刺激により脳波を誘導することができる。
【００９１】
次に、「光モード」を選択する場合は、発光装置４１の各発光器４１ａ，４１ｂのプラグ５１，５１を本体の光ジャック６’，７’に接続し、発光器４１ａ，４１ｂをそのＬＥＤ４９，４９が視界に入る広さに開き、予め発光器４１ａ，４１ｂを目の高さに設置固定し、かつ操作者はヘッドフォン２７を両方の耳に装着する（図１２参照）。
【００９２】
そして、上記モード選択スイッチ４０を「光モード」に設定すると、上記可動片３２，３４は同時に端子３１ｂ，３３ｂに接続されるため、左右の電源ライン１９ｂ，１９ｃが各々左右の光ジャック６’，７’に接続される。よって、右のスピーカ２７ａのみから音楽信号が３秒間出力されると同時に、右の発光器４１ａのみが３秒間発光し（左スピーカ２７ｂは消音状態、左発光器４１ｂは非点灯状態）、その後、左のスピーカ２７ｂのみから音楽信号が３秒間出力されると同時に、左の発光器４１ｂのみが３秒間発光し（右のスピーカ２７ａは消音状態、右発光器４１ａは非点灯状態）、かかる動作を交互に３秒間毎に繰り返し、これにより聴覚刺激と視覚刺激により脳波を誘導することができる。
【００９３】
次に、「双方モード」を選択する場合は、操作者は、発光装置４１の各発光器４１ａ，４１ｂのプラグ５１，５１を本体の光ジャック６’，７’に接続し、発光器４１ａ，４１ｂをそのＬＥＤ４９，４９が視界に入る広さに開き、予め発光器４１ａ，４１ｂを目の高さに設置固定し、かつ操作者はヘッドフォン２７を両方の耳に装着し、さらに左右の振動器２８ａ，２８ｂを左右の手のひらに握る。
【００９４】
かかる状態において、上記モード選択スイッチ４０を「双方モード」に設定すると、上記可動片３２，３４は同時に端子３１ｃ，３３ｃに接続されるため、左右の電源ライン１９ｂ，１９ｃが各々左右の電源出力ジャック６，７及び左右の光ジャック６’，７’に接続される。よって、右のスピーカ２７ａから音楽信号が３秒間出力されると同時に、右の振動器２８ａが３秒間振動し、同時に右の発光器４１ａが３秒間発光し（左のスピーカ２７ｂは消音、左の振動器２８ｂは非振動状態、左の発光器４１ｂは非点灯状態）、その後、左のスピーカ２７ｂから音楽信号が３秒間出力されると同時に、左の振動器２８ｂが３秒間振動し、同時に、左の発光器４１ｂが３秒間発光し（右のスピーカ２７ａは消音状態、右の振動器２８ａは非振動状態、右の発光器４１ａは非点灯状態）、かかる動作を交互に３秒間毎に繰り返し、これにより聴覚刺激と触覚刺激と視覚刺激により効果的に脳波を誘導することができる。
【００９５】
このように、第２の実施形態では、上記モード切換スイッチ４０により選択された上記「光モード」では、左右の音声信号の左右交互の出力タイミングと同一のタイミングで上記発光器４１ａ，４１ｂを左右交互に発光させるものであり、上記モード切換スイッチ４０により選択された上記「双方モード」では、左右の音声信号の交互出力タイミング及び左右の振動器の交互振動タイミングと同一のタイミングで、上記発光器４１ａ，４１ｂを左右交互に発光させるものである。
【００９６】
このように第２の実施形態によれば、聴覚刺激と触覚刺激により第１の実施形態と同様の効果を得られると同時に、聴覚刺激と触覚刺激、聴覚刺激と視覚刺激、又は、聴覚刺激と触覚刺激と聴覚刺激の３種類のモードを簡単に選択して脳波を誘導することができるため、操作者の好みや体調、或いは使用目的（リラックス、学習等）に合わせて、最適な刺激を受けることができ、より効果的に脳波を誘導することができる。
【００９７】
尚、上記発光装置４１の発光器４１ａ，４１ｂの定格電圧は上記振動器２８ａ，２８ｂの定格電圧と同一又は同一範囲に設定されており、両者を同一の電源で駆動できるように設定している。このように構成すると、上記第１の実施形態の装置の左右の電源出力ジャック６，７に、上記左右の振動器２８ａ，２８ｂに代えて、上記発光装置４１の左右の発光器４１ａ，４１ｂのプラグ５１，５１を接続することにより、ｔ秒毎の左右交互の音声信号の出力タイミングと同一タイミングで、左右の発光器４１ａ，４１ｂを交互に発光させることができる。このように構成すると、第１の実施形態の装置を、音声信号による聴覚刺激と、光による視覚刺激の装置として同様に使用することもできる。
【００９８】
本考案は以上のように、左右の耳に左右交互に音楽等の音声を出力することにより左右交互に聴覚刺激を与え、かかる聴覚刺激と同じタイミングで、左右の手に左右交互に振動器による触覚刺激を与えることができるため、目を閉じた状態で効果的な脳波誘導を行うことができ、しかも携帯可能な脳波誘導装置を実現したものである。
【００９９】
即ち、上記ヘッドフォンを装着し、上記振動器を手で軽く握り締めた使用者は、聴覚及び触覚を所定のタイミングで左右交互に刺激されることにより、脳内のα波等を効果的に誘発させることができる。
【０１００】
また、このような左右交互の聴覚刺激と触覚刺激による脳波の誘導（振動器モード）だけではなく、左右交互の聴覚刺激と視覚刺激による脳波の誘導（光モード）、又は、左右交互の聴覚刺激、視覚刺激、触覚刺激による脳波の誘導（双方モード）による脳波の誘導を行うことができ、用法、使用目的等に応じて、３つのモードを簡単に切換えることができる脳波誘導装置を実現したものである。
【０１０１】
また、振動器として、例えば市販の小型振動モータを使用することができ、振動器を非常に小型に構成することができる。
【０１０２】
また、発光装置として、一対の発光器の間隔を容易に調整可能であり、従来の聴覚刺激と視覚刺激による脳波誘導も同様に行うことができるものである。
【０１０３】
また、脳波誘導装置に何ら変更を加えることなく、左右の電源出力ジャックに発光器を各々接続することもでき、装置に何ら変更を加えることなく、左右交互の聴覚刺激と触覚刺激による脳波誘導装置を、左右交互の聴覚刺激と視覚刺激による脳波誘導装置とすることができる。即ち、聴覚及び触覚を刺激するよりも、聴覚及び視覚を刺激する方が有効であると判断される場合には、上記振動器を上記発光器に取り換えて容易に刺激の変更が可能である。
【０１０４】
また、本考案に係る脳波誘導装置は、α波等の脳波の誘導によるリラックス効果のみならず、暗記等の学習装置としても非常に効果的に使用することができる。
【０１０５】
また、振動器に布等を被覆することにより、上記振動器を軽く握り締めて手のひらを全体的に優しく刺激することができ、また、手のひらが発汗した場合は、上記布で汗を吸収させることができる。
【産業上の利用可能性】
【０１０６】
本考案にかかる脳波誘導装置は、例えばスポーツの試合前に使用して集中力を上昇させることが可能であるし、精神的に不安定な状態を安定させる医療器具として使用できるし、再生音声を外国語及び和訳で構成することにより、外国語を暗記するための学習装置としても利用することができる。
【符号の説明】
【０１０７】
１              本体
３              ステレオ音声出力ジャック（左右音声出力端子）
３ａ            右音声出力端子
３ｂ            左音声出力端子
４              モノラル音声入力ジャック（音声入力端子）
４ｂ            右音声ライン
４ｃ            左音声ライン
６              右電源出力ジャック（右電源出力端子）
６’            右光ジャック（右光端子）
７              左電源出力ジャック（左電源出力端子）
７’            左光ジャック（左光端子）
９              ＤＣ入力ジャック（電源入力端子）
１２            音声左右切換スイッチ部（音声切換手段）
１９ｂ          右電源ライン
１９ｃ          左電源ライン
２０            電源左右切換スイッチ部（電源切換手段）
２６            タイマー回路（切換信号出力手段）
２７            ステレオヘッドフォン
２７ａ          右スピーカ
２７ｂ          左スピーカ
２８ａ          右振動器
２８ｂ          左振動器
２９            筺体
３１ａ〜３１ｃ  端子
３２            可動片
３３ａ〜３３ｃ  端子
３４            可動片
３５            携帯音楽再生装置（音再生装置）
４０            モード切換スイッチ（モード切換スイッチ手段）
４０ａ，４０ｂ  平板状ロッド（ロッド）
４１            発光装置
４１ａ          右発光器
４１ｂ          左発光器
４５            錘
４６            小型振動モータ
ａ              回転軸
ｔ              時間間隔
【図１】
0003154555.tif 000003
【図２】
0003154555.tif 000004
【図３】
0003154555.tif 000005
【図４】
0003154555.tif 000006
【図５】
0003154555.tif 000007
【図６】
0003154555.tif 000008
【図７】
0003154555.tif 000009
【図８】
0003154555.tif 000010
【図９】
0003154555.tif 000011
【図１０】
0003154555.tif 000012
【図１１】
0003154555.tif 000013
【図１２】
0003154555.tif 000014